(57)【要約】【課題】セキュアな環境でデータを共有すること。【解決手段】情報処理装置であって、接続部を有する。情報処理装置は、さらに、画像受信部を有する。情報処理装置は、さらに、格納指示部を有する。情報処理装置の接続部は、特定の携帯端末からの接続要求に応じて前記携帯端末と接続する。情報処理装置の画像受信部は、携帯端末で撮像した画像を受信する。情報処理装置の格納指示部は、受信した画像を特定の共有エリアに格納するよう指示する。を備えた【選択図】  図１
2018169931.tif 000002
【特許請求の範囲】
【請求項１】
特定の携帯端末からの接続要求に応じて前記携帯端末と接続する接続手段と、
前記携帯端末で撮像した画像を受信する画像受信手段と、
受信した前記画像を特定の共有エリアに格納するよう指示する格納指示手段と、
を備えた情報処理装置。
【請求項２】
前記特定の携帯端末は、前記情報処理装置に撮像した画像を送信するアプリケーションが起動された携帯端末である請求項１に記載の情報処理装置。
【請求項３】
前記接続手段は、近距離無線通信により、前記携帯端末と接続する請求項１または２に記載の情報処理装置。
【請求項４】
前記格納指示手段は、有線または無線で接続された記憶手段の前記特定の共有エリアに、受信した前記画像を格納するよう指示する請求項１乃至３のいずれか１項に記載の情報処理装置。
【請求項５】
前記情報処理装置は、ＵＳＢデバイスである請求項１乃至４のいずれか１項に記載の情報処理装置。
【請求項６】
前記情報処理装置は、オフィス空間に一定間隔で存在するデバイスに含まれ、または、オフィス空間に一定間隔で存在するデバイスに内蔵される請求項１乃至４のいずれか１項に記載の情報処理装置。
【請求項７】
前記携帯端末に対して撮像制御信号を出力する撮像制御手段をさらに備えた請求項１乃至６のいずれか１項に記載の情報処理装置。
【請求項８】
特定の携帯端末からの接続要求に応じて前記携帯端末と接続する接続ステップと、
前記携帯端末で撮像した画像を受信する画像受信ステップと、
受信した前記画像を特定の共有エリアに格納するよう指示する格納指示ステップと、
を含む情報処理方法。
【請求項９】
特定の携帯端末からの接続要求に応じて前記携帯端末と接続する接続ステップと、
前記携帯端末で撮像した画像を受信する画像受信ステップと、
受信した前記画像を特定の共有エリアに格納するよう指示する格納指示ステップと、
をコンピュータに実行させる情報処理プログラム。
【請求項１０】
携帯端末と情報処理装置とを含む情報処理システムであって、
前記携帯端末は、
前記情報処理装置に対して接続要求する接続要求手段と、
画像を撮像する撮像手段と、
撮像した前記画像を接続された前記情報処理装置に送信する画像送信手段と、
を有し、
前記情報処理装置は、
前記携帯端末からの接続要求に応じて前記携帯端末と接続する接続手段と、
前記携帯端末で撮像した画像を受信する画像受信手段と、
受信した前記画像を特定の共有エリアに格納するよう指示する格納指示手段と、
を有する情報処理システム。
【発明の詳細な説明】
【技術分野】
【０００１】
本発明は、情報処理装置、情報処理方法、情報処理プログラムおよび情報処理システムに関する。
【背景技術】
【０００２】
上記技術分野において、特許文献１には、情報を複数ユーザで共有するために、端末装置で撮像した撮像画像を共有先として設定された領域に記憶させると共に、撮像画像をＩＷＢ（Interactive White Board ）の表示部に表示する技術が開示されている。また、特許文献２には、サーバにインストールしたスキャナドライバを起動して、サーバからスキャンを実行することで、複数のクライアントにスキャナドライバをインストールしなくてもネットワーク共有されたスキャナを制御できる技術が開示されています。さらに、特許文献３には、画像データを転送デバイスによる転送が可能な形式に変換し、形式が変換された画像データを転送デバイスによる転送が可能なファイルパスへ保存する技術が開示されています。
【先行技術文献】
【特許文献】
【０００３】
【特許文献１】特開２０１５−０４１３７３号公報
【特許文献２】特開２０１１−１３９３４１号公報
【特許文献３】特開２０１１−１３５２２８号公報
【発明の概要】
【発明が解決しようとする課題】
【０００４】
しかしながら、上記文献に記載の技術では、セキュアな環境でデータを共有することができなかった。
【０００５】
本発明の目的は、上述の課題を解決する技術を提供することにある。
【課題を解決するための手段】
【０００６】
上記目的を達成するため、本発明に係る情報処理装置は、
特定の携帯端末からの接続要求に応じて前記携帯端末と接続する接続手段と、
前記携帯端末で撮像した画像を受信する画像受信手段と、
受信した前記画像を特定の共有エリアに格納するよう指示する格納指示手段と、
を備えた。
【０００７】
上記目的を達成するため、本発明に係る情報処理方法は、
特定の携帯端末からの接続要求に応じて前記携帯端末と接続する接続ステップと、
前記携帯端末で撮像した画像を受信する画像受信ステップと、
受信した前記画像を特定の共有エリアに格納するよう指示する格納指示ステップと、
を含む。
【０００８】
上記目的を達成するため、本発明に係る情報処理プログラムは、
特定の携帯端末からの接続要求に応じて前記携帯端末と接続する接続ステップと、
前記携帯端末で撮像した画像を受信する画像受信ステップと、
受信した前記画像を特定の共有エリアに格納するよう指示する格納指示ステップと、
をコンピュータに実行させる。
【０００９】
上記目的を達成するため、本発明に係る情報処理システムは、
携帯端末と情報処理装置とを含む情報処理システムであって、
前記携帯端末は、
前記情報処理装置に対して接続要求する接続要求手段と、
画像を撮像する撮像手段と、
撮像した前記画像を接続された前記情報処理装置に送信する画像送信手段と、
を有し、
前記情報処理装置は、
前記携帯端末からの接続要求に応じて前記携帯端末と接続する接続手段と、
前記携帯端末で撮像した画像を受信する画像受信手段と、
受信した前記画像を特定の共有エリアに格納するよう指示する格納指示手段と、
を有する。
【発明の効果】
【００１０】
本発明によれば、セキュアな環境でデータを共有することができる。
【図面の簡単な説明】
【００１１】
【図１】本発明の第１実施形態に係る情報処理装置の構成を示すブロック図である。
【図２】本発明の第２実施形態に係る情報処理システムの概要を説明するための図である。
【図３】本発明の第２実施形態に係る情報処理システムの構成を示すブロック図である。
【図４】本発明の第２実施形態に係る情報処理システムに含まれる情報処理装置の備える格納テーブルの一例を示す図である。
【図５】本発明の第２実施形態に係る情報処理システムに含まれる情報処理装置のハードウェア構成を示すブロック図である。
【図６】本発明の第２実施形態に係る情報処理システムに含まれる情報処理装置の処理手順を説明するフローチャートである。
【図７】本発明の第３実施形態に係る情報処理システムの概要を説明するための図である。
【図８】本発明の第３実施形態に係る情報処理システムの構成を示すブロック図である。
【図９】本発明の第３実施形態に係る情報処理システムに含まれる情報処理装置の備える格納テーブルの一例を示す図である。
【図１０】本発明の第３実施形態に係る情報処理システムに含まれる情報処理装置のハードウェア構成を示すブロック図である。
【図１１】本発明の第３実施形態に係る情報処理システムに含まれる情報処理装置の処理手順を説明するフローチャートである。
【発明を実施するための形態】
【００１２】
以下に、本発明を実施するための形態について、図面を参照して、例示的に詳しく説明記載する。ただし、以下の実施の形態に記載されている、構成、数値、処理の流れ、機能要素などは一例に過ぎず、その変形や変更は自由であって、本発明の技術範囲を以下の記載に限定する趣旨のものではない。
【００１３】
［第１実施形態］
本発明の第１実施形態としての情報処理装置１００について、図１を用いて説明する。情報処理装置１００は、受信した画像を特定の共有エリアに格納する装置である。
【００１４】
図１に示すように、情報処理装置１００は、接続部１０１と、画像受信部１０２と、格納指示部１０３と、を含む。接続部１０１は、特定の携帯端末からの接続要求に応じて携帯端末と接続する。画像受信部１０２は、携帯端末で撮像した画像を受信する。格納指示部１０３は、受信した画像を特定の共有エリアに格納するよう指示する。
【００１５】
本実施形態によれば、セキュアな環境でデータを共有することができる。
【００１６】
［第２実施形態］
次に本発明の第２実施形態に係る情報処理システムについて、図２乃至図６を用いて説明する。図２は、本実施形態に係る情報処理システム２００の概要を説明するための図である。情報処理システム２００は、個人利用のスマートフォンなどのスマートデバイスから社内ネットワークなどの閉じられたネットワーク上の共有サーバに対して、インターネットを経由せずに、直接セキュアな情報転送を可能とするシステムである。
【００１７】
例えば、社内会議などで、ホワイトボードなどにアイデアや決定事項を板書した場合、会議終了後にホワイトボードに板書した内容を残しておくために、板書した内容をプリントできるホワイトボードがある。一方で、ホワイトボードにプリント機能がない場合には、会議参加者が個人で所有するスマートフォンなどのカメラで板書内容を撮影して、記録することがある。
【００１８】
しかしながら、個人所有のスマートフォンで撮影した写真をセキュアに社内の共有サーバに格納、保存する方法がなかった。すなわち、インターネット上のクラウドサービスを利用または経由すること、社内の無線ＬＡＮに個人所有（私有）デバイスを接続すること、業務用ＰＣ（Personal Computer）に個人所有デバイスを接続することは禁止されている。そのため、個人所有のスマートフォンで撮影した画像を共有する方法がなかった。
【００１９】
また、会議参加者が個人で所有するスマートフォンでホワイトボードの板書内容を撮影すると、撮影した画像のデータが、個人所有のスマートフォンのストレージに記録され、情報漏えいの危険があった。
【００２０】
情報処理システム２００は、情報処理装置２０１、携帯端末２０２および共有サーバ２０３を含む。なお、本実施形態では、情報処理装置２０１として、ＵＳＢ（Universal Serial Bus）デバイス（ＵＳＢメモリ）を例に説明する。情報処理装置２０１は、例えば、会議室などにあるディスプレイ２１１のＵＳＢコネクタに接続され、電源の供給を受けながら動作する。
【００２１】
ユーザは、情報処理装置２０１をディスプレイ２１１のＵＳＢコネクタに接続して、情報処理装置２０１を起動する。そして、ユーザは、スマートフォンなどの携帯端末２０２にインストールされたアプリケーションを起動する。情報処理装置２０１は、アプリケーションが起動した携帯端末２０２とＢｌｕｅｔｏｏｔｈ（登録商標）などの近距離無線通信によりペアリングして、接続する。近距離無線通信は、ＷｉＦｉやＮＦＣ（Near Field Communication）などであってもよい。
【００２２】
携帯端末２０２には、情報処理装置２０１とペアリングして画像を送信するアプリケーションを情報処理装置２０１からダウンロードしてインストールされている。インストールされたアプリケーションは、接続先として情報処理装置２０１に接続されるように設定されている。なお、アプリケーションは、情報処理装置２０１からダウンロードする例で説明をしたが、アプリケーションは、情報処理装置２０１、専用のアプリケーション配信サーバ、及び汎用的なクラウド上のアプリケーション配信サービスからダウンロードする事ができる。また、アプリケーションの接続先は、ダウンロード後に設定する事も、事前に設定が埋め込まれたアプリケーションをダウンロードする事も可能である。さらに、接続先が事前設定されたアプリケーションをダウンロードする場合には、情報処理装置２０１や専用のアプリケーション配信サーバからダウンロードするか、もしくは、クラウド上のアプリケーション配信サービスを用いる場合は、ＭＤＭ（Mobile Device Management）システムを用いたアプリケーションのプロビジョニング機能との併用が必要となる。接続先をダウンロード後に設定する場合、例えばアプリケーションと情報処理装置２０１とをペアリングするなどの方法により、簡単かつセキュリティを保ちながら設定を行う事ができる。
【００２３】
情報処理装置２０１と携帯端末２０２との接続が確立したら、ユーザは、起動したアプリケーションから携帯端末２０２のカメラ機能を用いて、会議で使用したホワイトボードなどを撮像する。携帯端末２０２で撮像が完了すると、携帯端末２０２のアプリケーションは、撮像した画像を情報処理装置２０１へと送信する。
【００２４】
なお、携帯端末２０２で撮像された画像は、携帯端末２０２の一時記憶メモリなどに記憶されるが、アプリケーションが画像を情報処理装置２０１へ転送した後は、転送された画像は、一時記憶メモリから消去されるように設定されている。あるいは、携帯端末２０２のアプリケーションは、送信した画像を携帯端末２０２の内部メモリには保存せずに、削除するように設定されている。
【００２５】
なお、情報処理装置２０１は、携帯端末２０２にインストールされたアプリケーションから送信された画像ファイルおよび画像データ以外のファイルやデータは受け取らないように設定されている。
【００２６】
携帯端末２０２からの画像を受信した情報処理装置２０１は、受信した画像を事前に設定された共有サーバ２０３の特定の共有エリアに格納する。特定の共有エリアは、例えば、会社の部署やグループ、役職などに応じて設定されるが、特定の供給エリアの設定方法はこれには限定されない。
【００２７】
情報処理装置２０１と共有サーバ２０３とは、例えば、無線ＬＡＮ（Local Area Network）を介して接続されており、情報処理装置２０１が受信した画像のデータは、無線ＬＡＮのＡＰ（Access Point）２２０を介して共有サーバ２０３に転送される。なお、情報処理装置２０１と共有サーバ２０３とは、有線ＬＡＮやＵＳＢケーブルなどで接続してもよい。
【００２８】
情報処理装置２０１は、画像を受信するごとに共有サーバ２０３に画像を格納してもよい。また、情報処理装置２０１は、所定データ量または所定枚数の画像が蓄積されたら、共有サーバ２０３に蓄積された画像を格納してもよいし、ユーザが任意のタイミングで格納を指示してもよい。ただし、共有サーバ２０３に画像が格納されたら、蓄積された画像のデータは、アプリケーションにより消去される。なお、画像のデータの消去は、情報処理装置２０１からの指示により実行してもよい。
【００２９】
なお、ここでは、画像データを共有する例で説明をしたが、共有するデータは、画像データには限定されず、例えば、テキストデータや動画データ、その他のデータであってもよい。
【００３０】
図３は、本実施形態に係る情報処理システム２００の構成を示すブロック図である。情報処理システム２００は、情報処理装置２０１、携帯端末２０２および共有サーバ（記憶部）２０３を含む。
【００３１】
情報処理装置２０１は、接続部３１１、画像受信部３１２および格納指示部３１３を有する。接続部３１１は、特定の携帯端末２０２からの接続要求に応じて携帯端末２０２と接続する。特定の携帯端末２０２は、情報処理装置２０１に対して撮像した画像を送信するアプリケーションが起動された携帯端末である。また、情報処理装置２０１は、携帯端末２０２とＢｌｕｅｔｏｏｔｈ（登録商標）などの近距離無線通信により接続される。
【００３２】
画像受信部３１２は、携帯端末２０２から送信された画像を受信する。すなわち、画像受信部３１２は、アプリケーションが起動された特定の携帯端末２０２から送信された画像のデータを受信し、例えば、画像のデータ以外のファイルやデータは受け取らない。なお、アプリケーションまたは情報処理装置２０１において、画像データや画像ファイル以外のデータやファイルの送信や受信を許可した場合には、この限りではない。
【００３３】
格納指示部３１３は、受信した画像を共有サーバ２０３の特定の共有エリアに格納するように、共有サーバ２０３に指示する。特定の共有エリアは、例えば、携帯端末２０２で起動したアプリケーションの識別子（ＩＤ（Identifier））に応じて決められても、また、携帯端末２０２の所有者の所属部署や役職などに応じて決められてもよい。
【００３４】
携帯端末２０２は、接続要求部３２１、撮像部３２２および画像送信部３２３を有する。接続要求部３２１は、情報処理装置２０１に対して接続を要求する。携帯端末２０２と情報処理装置２０１との接続は、Ｂｌｕｅｔｏｏｔｈ（登録商標）などの近距離無線通信によりペアリングされ、接続される。具体的には、接続要求部３２１は、携帯端末２０２を探索可能状態に設定する。そして、情報処理装置２０１は、携帯端末２０２の探索を行い、携帯端末２０２との接続を確立する。なお、情報処理装置２０１と携帯端末２０２との間で一度ペアリングが確立すると、次からは自動的または半自動的に接続が確立される。
【００３５】
撮像部３２２は、画像を撮像する。撮像部３２２は、携帯端末２０２に内蔵されたカメラなどである。例えば、携帯端末２０２の所有者は、携帯端末２０２にインストールされたアプリケーションを起動して、携帯端末２０２に内蔵されたカメラなどの撮像部３２２により会議室内のホワイトボードなどの画像を撮像する。
【００３６】
画像送信部３２３は、撮像部３２２が撮像したホワイトボードなどの画像を携帯端末２０２と接続された情報処理装置２０１へ送信する。
【００３７】
共有サーバ２０３には、特定の共有エリアが確保されている。共有サーバ２０３は、格納指示部３１３の指示に従い、特定の共有エリアに画像を格納する。特定の共有エリアは、例えば、携帯端末２０２にインストールされたアプリケーションごと、携帯端末２０２の所有者の所属部署や階級ごとに設定されているが、共有エリアの設定方法はこれらには限定されない。なお、情報処理装置２０１と共有サーバ２０３とは、無線ＬＡＮにより接続されているが、有線ＬＡＮで接続されてもよい。
【００３８】
図４は、本実施形態に係る情報処理システム２００に含まれる情報処理装置２０１の備える格納テーブル４０１の一例を示す図である。格納テーブル４０１は、端末ＩＤ４１１に関連付けてアプリＩＤ４１２、画像ＩＤ４１３および共有エリア４１４を記憶する。
【００３９】
端末ＩＤ４１１は、携帯端末２０２などを識別する識別子である。アプリＩＤ４１２は、携帯端末２０２にインストールされたアプリケーションを識別する識別子である。画像ＩＤ４１３は、携帯端末２０２で撮像した画像を識別する識別子である。共有エリア４１４は、携帯端末２０２で撮像した画像の格納場所を示す。そして、情報処理装置２０１は、例えば、格納テーブル４０１を参照して、携帯端末２０２で撮像した画像を共有サーバ２０３の共有エリアに格納する。
【００４０】
図５は、本実施形態に係る情報処理システムに含まれる情報処理装置２０１のハードウェア構成を説明するブロック図である。ＣＰＵ(Central Processing Unit)５１０は、演算制御用のプロセッサであり、プログラムを実行することで図３の情報処理装置２０１の機能構成部を実現する。ＣＰＵ５１０は複数のプロセッサを有し、異なるプログラムやモジュール、タスク、スレッドなどを並行して実行してもよい。ＲＯＭ(Read Only Memory)５２０は、初期データおよびプログラムなどの固定データおよびその他のプログラムを記憶する。また、ネットワークインタフェース５３０は、ネットワークを介して他の装置などと通信する。なお、ＣＰＵ５１０は１つに限定されず、複数のＣＰＵであっても、あるいは画像処理用のＧＰＵ(Graphics Processing Unit)を含んでもよい。また、ネットワークインタフェース５３０は、ＣＰＵ５１０とは独立したＣＰＵを有して、ＲＡＭ(Random Access Memory)５４０の領域に送受信データを書き込みあるいは読み出しするのが望ましい。また、ＲＡＭ５４０とストレージ５５０との間でデータを転送するＤＭＡＣ(Direct Memory Access Controller)を設けるのが望ましい（図示なし）。さらに、ＣＰＵ５１０は、ＲＡＭ５４０にデータが受信あるいは転送されたことを認識してデータを処理する。また、ＣＰＵ５１０は、処理結果をＲＡＭ５４０に準備し、後の送信あるいは転送はネットワークインタフェース５３０やＤＭＡＣに任せる。
【００４１】
ＲＡＭ５４０は、ＣＰＵ５１０が一時記憶のワークエリアとして使用するランダムアクセスメモリである。ＲＡＭ５４０には、本実施形態の実現に必要なデータを記憶する領域が確保されている。端末ＩＤ５４１は、情報処理装置２０１に接続された携帯端末２０２を識別するデータである。アプリＩＤ５４２は、携帯端末２０２にインストールされ、起動されているアプリケーションを識別するデータである。画像ＩＤ５４３は、携帯端末２０２が撮像した画像を識別するデータである。格納共有エリア５４４は、携帯端末２０２から受信した画像が格納される共有サーバ２０３の特定の共有エリアを示すデータである。これらのデータは、例えば、格納テーブル４０１から展開される。
【００４２】
送受信データ５４５は、ネットワークインタフェース５３０を介して送受信されるデータである。また、ＲＡＭ５４０は、各種アプリケーションモジュールを実行するためのアプリケーション実行領域５４６を有する。
【００４３】
ストレージ５５０には、データベースや各種のパラメータ、あるいは本実施形態の実現に必要な以下のデータまたはプログラムが記憶されている。ストレージ５５０は、格納テーブル４０１を格納する。格納テーブル４０１は、図４に示した、端末ＩＤ４１１と、共有エリア４１４などとの関係を管理するテーブルである。
【００４４】
ストレージ５５０は、さらに、接続モジュール５５１、画像受信モジュール５５２および格納指示モジュール５５３を格納する。
【００４５】
接続モジュール５５１は、携帯端末２０２からの接続要求に応じて情報処理装置２０１と携帯端末２０２とを接続するモジュールである。画像受信モジュール５５２は、携帯端末２０２で撮像され、情報処理装置２０１に対して送信された画像を受信するモジュールである。格納指示モジュール５５３は、受信した画像を特定の共有エリアに格納するように指示するモジュールである。これらのモジュール５５１〜５５３は、ＣＰＵ５１０によりＲＡＭ５４０のアプリケーション実行領域５４６に読み出され、実行される。制御プログラム５５４は、情報処理装置２０１の全体を制御するためのプログラムである。
【００４６】
なお、図５に示したＲＡＭ５４０やストレージ５５０には、情報処理装置２０１が有する汎用の機能や他の実現可能な機能に関するプログラムやデータは図示されていない。
【００４７】
図６は、本実施形態に係る情報処理装置２０１の処理手順を説明するフローチャートである。このフローチャートは、図５のＣＰＵ５１０がＲＡＭ５４０を使用して実行し、図３の情報処理装置２０１の機能構成部を実現する。
【００４８】
ステップＳ６０１において、情報処理装置２０１は、携帯端末２０２からの接続要求を受ける。ステップＳ６０３において、情報処理装置２０１は、携帯端末２０２からの接続要求を許可するか否かを判断する。情報処理装置２０１は、例えば、接続要求をしてきた携帯端末２０２が、特定の携帯端末、つまり、所定のアプリケーションがインストールされた携帯端末か否かに基づいて、接続要求の許否を判断する。接続要求を拒否する場合（ステップＳ６０３のＮＯ）、情報処理装置２０１は、ステップＳ６０１へ戻る。接続要求を許可する場合（ステップＳ６０３のＹＥＳ）、情報処理装置２０１は、ステップＳ６０５へ進む。
【００４９】
ステップＳ６０５において、情報処理装置２０１は、接続要求をしてきた携帯端末２０２との接続を確立する。ステップＳ６０７において、情報処理装置２０１は、携帯端末２０２から送信された画像を受信する。ステップＳ６０９において、情報処理装置２０１は、受信した画像を共有サーバ２０３の特定の共有エリアに格納するよう指示する。
【００５０】
本実施形態によれば、セキュアな環境でデータを共有することができる。個人所有のスマートフォンであっても社内の共有サーバに対して、インターネットを経由せず、直接セキュアな情報転送をすることができる。また、共有サーバに格納した画像データは、個人所有のスマートフォンから消去されるので、情報漏えいの可能性を大幅に減らすことができる。
【００５１】
［第３実施形態］
次に本発明の第３実施形態に係る情報処理システムについて、図７乃至１１を用いて説明する。図７は、本実施形態に係る情報処理システム７００の概要を説明するための図である。本実施形態に係る情報処理システム７００は、上記第２実施形態と比べると、情報処理装置７０１がオフィス空間に存在する電話機に内蔵されており、電話機は共有サーバと有線ＬＡＮで接続されている点で異なる。また、情報処理装置７０１が、撮像制御部を有する点で異なる。その他の構成および動作は、第２実施形態と同様であるため、同じ構成および動作については同じ符号を付してその詳しい説明を省略する。
【００５２】
情報処理システム７００は、オフィス空間に一定間隔で存在するデバイスである電話機に内蔵された情報処理装置７０１と、携帯端末２０２と、共有サーバ２０３と、を含む。情報処理装置７０１は、携帯端末２０２と近距離無線通信により接続され、携帯端末２０２で撮像した画像を受信し、受信した画像を共有サーバ２０３の特定の共有エリアに格納するよう指示する。なお、ここでは、情報処理装置７０１は、オフィス空間に一定間隔で存在するデバイスとして電話機を例に説明したが、このようなデバイスは電話機には限定されず、例えば、ディスプレイや照明用スイッチ、空調用スイッチなどであってもよい。また、情報処理装置７０１は、第２実施形態で説明したＵＳＢデバイスであってもよい。
【００５３】
図８は本実施形態に係る情報処理システム７００の構成を示すブロック図である。情報処理システム７００は、情報処理装置７０１、携帯端末２０２および共有サーバ２０３を有する。情報処理装置７０１と携帯端末２０２とは、Ｂｌｕｅｔｏｏｔｈ（登録商標）などの近距離無線通信によりペアリングされ、接続される。また、情報処理装置７０１と共有サーバ２０３とは、有線ＬＡＮにより接続されているが、無線ＬＡＮにより接続されてもよい。
【００５４】
情報処理装置７０１は、撮像制御部８１１をさらに備える。撮像制御部８１１は、携帯端末２０２に対して撮像制御信号を出力する。撮像制御信号を受信した携帯端末２０２は、撮像制御信号に従って、画像を撮像する。
【００５５】
図９は、本実施形態に係る情報処理システム７００に含まれる情報処理装置７０１の備える格納テーブル９０１の一例を示す図である。格納テーブル９０１は、端末ＩＤ４１１に対応付けて撮像タイミング９１１を格納する。撮像タイミング９１１は、携帯端末２０２が、情報処理装置７０１から撮像制御信号を受信した後、どのタイミングで画像を撮像するかを示す。撮像タイミング９１１は、例えば、撮像制御信号受信後すぐに画像を撮像するようなタイミングや、撮像制御信号受信後所定の時間経過後に画像を撮像するようなタイミングなどであるが、これらには限定されない。そして、情報処理装置７０１は、格納テーブル９０１を参照して、携帯端末２０２の撮像を制御する。
【００５６】
図１０は、本実施形態に係る情報処理システム７００に含まれる情報処理装置７０１のハードウェア構成を示すブロック図である。ＣＰＵ(Central Processing Unit)５１０は、演算制御用のプロセッサであり、プログラムを実行することで図８の情報処理装置７０１の機能構成部を実現する。ＣＰＵ５１０は複数のプロセッサを有し、異なるプログラムやモジュール、タスク、スレッドなどを並行して実行してもよい。ＲＯＭ(Read Only Memory)５２０は、初期データおよびプログラムなどの固定データおよびその他のプログラムを記憶する。また、ネットワークインタフェース５３０は、ネットワークを介して他の装置などと通信する。なお、ＣＰＵ５１０は１つに限定されず、複数のＣＰＵであっても、あるいは画像処理用のＧＰＵ(Graphics Processing Unit)を含んでもよい。また、ネットワークインタフェース５３０は、ＣＰＵ５１０とは独立したＣＰＵを有して、ＲＡＭ(Random Access Memory)１０４０の領域に送受信データを書き込みあるいは読み出しするのが望ましい。また、ＲＡＭ１０４０とストレージ１０５０との間でデータを転送するＤＭＡＣ(Direct Memory Access Controller)を設けるのが望ましい（図示なし）。さらに、入出力インタフェース１０６０は、ＣＰＵ５１０とは独立したＣＰＵを有して、ＲＡＭ１０４０の領域に入出力データを書き込みあるいは読み出しするのが望ましい。したがって、ＣＰＵ５１０は、ＲＡＭ１０４０にデータが受信あるいは転送されたことを認識してデータを処理する。また、ＣＰＵ５１０は、処理結果をＲＡＭ１０４０に準備し、後の送信あるいは転送はネットワークインタフェース５３０やＤＭＡＣ、あるいは入出力インタフェース１０６０に任せる。
【００５７】
ＲＡＭ１０４０は、ＣＰＵ５１０が一時記憶のワークエリアとして使用するランダムアクセスメモリである。ＲＡＭ１０４０には、本実施形態の実現に必要なデータを記憶する領域が確保されている。撮像タイミング１０４１は、携帯端末２０２が撮像制御信号を受信した後、どのタイミングで画像を撮像するかを示すデータである。このデータは、例えば、格納テーブル９０１から展開される。入出力データ１０４２は、入出力インタフェース１０６０を介して入出力されるデータである。
【００５８】
ストレージ１０５０には、データベースや各種のパラメータ、あるいは本実施形態の実現に必要な以下のデータまたはプログラムが記憶されている。ストレージ１０５０は、格納テーブル９０１をさらに格納する。格納テーブル９０１は、図９に示した、端末ＩＤ４１１と、撮像タイミング９１１などとの関係を管理するテーブルである。
【００５９】
ストレージ１０５０は、さらに、撮像制御モジュール１０５１を格納する。撮像制御モジュール１０５１は、携帯端末２０２に対して撮像制御信号を出力して、携帯端末２０２による撮像を制御するモジュールである。このモジュール１０５１は、ＣＰＵ５１０によりＲＡＭ１０４０のアプリケーション実行領域５４６に読み出され、実行される。制御プログラム１０５２は、情報処理装置７０１の全体を制御するためのプログラムである。
【００６０】
入出力インタフェース１０６０は、入出力機器との入出力データをインタフェースする。入出力インタフェース１０６０には、表示部１０６１、操作部１０６２、が接続される。また、入出力インタフェース１０６０には、さらに、記憶媒体１０６４が接続されてもよい。さらに、音声出力部であるスピーカ１０６３や、音声入力部であるマイク（図示せず）、あるいは、ＧＰＳ位置判定部が接続されてもよい。なお、図１０に示したＲＡＭ１０４０やストレージ１０５０には、情報処理装置７０１が有する汎用の機能や他の実現可能な機能に関するプログラムやデータは図示されていない。
【００６１】
図１１は、本実施形態に係る情報処理装置７０１の処理手順を説明するフローチャートである。このフローチャートは、図１０のＣＰＵ５１０がＲＡＭ１０４０を使用して実行し、図８の情報処理装置７０１の機能構成部を実現する。
【００６２】
ステップＳ１１０１において、情報処理装置７０１は、携帯端末２０２に対して撮像制御信号を出力する。
【００６３】
本実施形態によれば、オフィス空間に一定間隔で存在するデバイスを利用するので、個人所有のスマートフォンで撮像した画像をより容易に、セキュアな環境で共有エリアに格納することができる。
【００６４】
［他の実施形態］
以上、実施形態を参照して本願発明を説明したが、本願発明は上記実施形態に限定されるものではない。本願発明の構成や詳細には、本願発明のスコープ内で当業者が理解し得る様々な変更をすることができる。また、それぞれの実施形態に含まれる別々の特徴を如何様に組み合わせたシステムまたは装置も、本発明の範疇に含まれる。
【００６５】
また、本発明は、複数の機器から構成されるシステムに適用されてもよいし、単体の装置に適用されてもよい。さらに、本発明は、実施形態の機能を実現する情報処理プログラムが、システムあるいは装置に直接あるいは遠隔から供給される場合にも適用可能である。したがって、本発明の機能をコンピュータで実現するために、コンピュータにインストールされるプログラム、あるいはそのプログラムを格納した媒体、そのプログラムをダウンロードさせるＷＷＷ(World Wide Web)サーバも、本発明の範疇に含まれる。特に、少なくとも、上述した実施形態に含まれる処理ステップをコンピュータに実行させるプログラムを格納した非一時的コンピュータ可読媒体（non-transitory computer readable medium）は本発明の範疇に含まれる。
【００６６】
［実施形態の他の表現］
上記の実施形態の一部または全部は、以下の付記のようにも記載されうるが、以下には限られない。
（付記１）
特定の携帯端末からの接続要求に応じて前記携帯端末と接続する接続手段と、
前記携帯端末で撮像した画像を受信する画像受信手段と、
受信した前記画像を特定の共有エリアに格納するよう指示する格納指示手段と、
を備えた情報処理装置。
（付記２）
前記特定の携帯端末は、前記情報処理装置に撮像した画像を送信するアプリケーションが起動された携帯端末である付記１に記載の情報処理装置。
（付記３）
前記接続手段は、近距離無線通信により、前記携帯端末と接続する付記１または２に記載の情報処理装置。
（付記４）
前記格納指示手段は、有線または無線で接続された記憶手段の前記特定の共有エリアに、受信した前記画像を格納するよう指示する付記１乃至３のいずれか１項に記載の情報処理装置。
（付記５）
前記情報処理装置は、ＵＳＢデバイスである付記１乃至４のいずれか１項に記載の情報処理装置。
（付記６）
前記情報処理装置は、オフィス空間に一定間隔で存在するデバイスに含まれ、または、オフィス空間に一定間隔で存在するデバイスに内蔵される付記１乃至４のいずれか１項に記載の情報処理装置。
（付記７）
前記デバイスは、ディスプレイ、電話機、照明用スイッチおよび空調用スイッチの少なくとも１つを含む付記６に記載の情報処理装置。
（付記８）
前記携帯端末に対して撮像制御信号を出力する撮像制御手段をさらに備えた付記１乃至８のいずれか１項に記載の情報処理装置。
（付記９）
特定の携帯端末からの接続要求に応じて前記携帯端末と接続する接続ステップと、
前記携帯端末で撮像した画像を受信する画像受信ステップと、
受信した前記画像を特定の共有エリアに格納するよう指示する格納指示ステップと、
を含む情報処理方法。
（付記１０）
特定の携帯端末からの接続要求に応じて前記携帯端末と接続する接続ステップと、
前記携帯端末で撮像した画像を受信する画像受信ステップと、
受信した前記画像を特定の共有エリアに格納するよう指示する格納指示ステップと、
をコンピュータに実行させる情報処理プログラム。
（付記１１）
携帯端末と情報処理装置とを含む情報処理システムであって、
前記携帯端末は、
前記情報処理装置に対して接続要求する接続要求手段と、
画像を撮像する撮像手段と、
撮像した前記画像を接続された前記情報処理装置に送信する画像送信手段と、
を有し、
前記情報処理装置は、
前記携帯端末からの接続要求に応じて前記携帯端末と接続する接続手段と、
前記携帯端末で撮像した画像を受信する画像受信手段と、
受信した前記画像を特定の共有エリアに格納するよう指示する格納指示手段と、
を有する情報処理システム。
【図１】
2018169931.tif 000003
【図２】
2018169931.tif 000004
【図３】
2018169931.tif 000005
【図４】
2018169931.tif 000006
【図５】
2018169931.tif 000007
【図６】
2018169931.tif 000008
【図７】
2018169931.tif 000009
【図８】
2018169931.tif 000010
【図９】
2018169931.tif 000011
【図１０】
2018169931.tif 000012
【図１１】
2018169931.tif 000013